(57)【要約】  本発明は、ＤＶＤ＋ＲＷ（ＤＶＤ−Rewritable）光ディスクのより優れたユーザ相互作用及び理解のためにユーザに追加的情報を提供するように提供される。より特には、ＤＶＤ＋ＲＷディスクのメニューシステムと相互作用するユーザは、ユーザがメニューシステムから非再生可能なタイトル14を選択することに応答して、視覚的及び／又は音声的な指示又は警告を提供される。この指示又は警告は、ユーザに、選択されたタイトル14がなぜ再生され得ないか、及び特定の期間の後に又はユーザ相互作用の後に次のタイトル11が提示されること、を説明する。
2009503762.tif 000002
【特許請求の範囲】
【請求項１】
ＤＶＤ＋ＲＷ光ディスクのより優れたユーザ相互作用及び理解のためにユーザに追加的情報を提供する方法であって、
（ａ）前記ＤＶＤ＋ＲＷ光ディスクのディスクメニューを介してタイトルを選択するステップと、
（ｂ）非再生可能な選択されたタイトルの再生を防ぐステップと、
（ｃ）前記非再生可能な選択されたタイトルがなぜ前記ＤＶＤ＋ＲＷ光ディスクから再生され得ないかを説明する視覚的及び／又は音声的な指示又は警告を前記ユーザに提供するステップと、
（ｄ）特定の期間内に又はユーザ相互作用の後に前記ユーザへ次のタイトルを提示するステップと、
を有する方法。
【請求項２】
請求項１に記載の方法であって、前記ステップ（ａ）の前に実行される、
追加的な前コマンドを、ビデオタイトルセットドメインにおける各非再生可能なタイトルのプログラムチェーン内における先在する前コマンド及び後コマンドへ含めるステップと、
追加的な前コマンドを、ビデオマネージャドメインにおけるエントリプログラムチェーン内に含めるステップと、
を更に有する、方法。
【請求項３】
請求項２に記載の方法であって、前記選択されたタイトルの再生を防ぐステップが、更に、前記ディスクの前記ビデオタイトルセットドメインから離れて、前記ディスクの前記ビデオマネージャドメインの情報ページへナビゲートするステップを更に含む、方法。
【請求項４】
請求項３に記載の方法であって、前記ディスクの前記ビデオタイトルセットドメインから離れて、前記ディスクの前記ビデオマネージャドメインの前記情報ページへナビゲートするステップが、
前記ビデオマネージャドメインへナビゲートするために前記ビデオタイトルセットドメインにおける前記追加的な前コマンドを実行するステップと、
前記情報ページへナビゲートするために前記ビデオマネージャドメインにおける前記追加的な前コマンドを実行するステップと、
を更に含む、方法。
【請求項５】
請求項１に記載の方法であって、前記ビデオマネージャドメインの前記情報ページが、前記ユーザへ提供される前記視覚的及び／又は音声的な指示又は警告を提供し、再生されるタイトルが前記選択されたタイトルとは異なる、前記ディスクにおける次のタイトルであることを前記ユーザへ通知する、方法。
【請求項６】
請求項６に記載の方法であって、前記情報ページが前記ＤＶＤ＋ＲＷ光ディスクに記録された参照されないタイトルである、方法。
【請求項７】
請求項５に記載の方法であって、前記情報ページが、前記ビデオマネージャドメインにおけるビデオマネージャＶＯＢＳにおけるメニューページとして記憶される、方法。
【請求項８】
光ディスクであって、タイトルを、ＤＶＤ＋ＲＷビデオ構造を分断することなく、当該ディスクのビデオタイトルセットドメインから離れて、当該ディスクのビデオマネージャドメインにおける情報ページへナビゲートするナビゲーション構造を含む光ディスクであって、前記ナビゲーション構造が、
前記ビデオタイトルセットドメインから離れて前記ビデオマネージャドメインへナビゲートするために、前記ビデオタイトルセットドメインにおける各非再生可能なタイトルのプログラムチェーン内における先在する前コマンド及び後コマンドに追加される追加的な前コマンドと、
前記ビデオマネージャドメインのビデオマネージャＶＯＢＳにおける情報ページへナビゲートするために、前記ビデオマネージャドメインにおけるエントリプログラムチェーン内へ追加される追加的な前コマンドと、
に有する、光ディスク。
【請求項９】
請求項８に記載の光ディスクであって、前記情報ページが、再生されるべき前記ビデオタイトルセットドメインにおける次のタイトルへリンクする前記ビデオタイトルセットドメインにおける次のタイトルプログラムチェーンへジャンプするように構成されるボタンを含む、光ディスク。
【請求項１０】
請求項９に記載の光ディスクであって、前記ボタンが、通常のメニューボタン又は所定の期間の後に実行される自動実行ボタンである、光ディスク。
【請求項１１】
請求項８に記載の光ディスクであって、民生電子機器ＤＶＤ＋ＲＷレコーダ、民生電子機器ハードディスクレコーダ、及びＰＣ／ＭＡＣのＤＶＤ＋ＲＷオーサリングアプリケーションのうちのいずれか１つにおいて使用する、光ディスク。
【発明の詳細な説明】
【技術分野】
【０００１】
本発明は、ＤＶＤ＋ＲＷ（ＤＶＤ−Rewritable）のより優れたユーザ相互作用及び理解のためにユーザに追加的情報を提供する光ディスク記録装置及び方法に関する。
【背景技術】
【０００２】
近年において、ビデオデータ、音声データなどを記録するビデオＣＤなどの光ディスクのコンテンツを再生するシステムが開発されており、映画ソフトウェアタイトル、カラオケデータなどを再生する目的に関して普及している。
【０００３】
このようなシステムのなかにおいて、国際標準規格化されたＭＰＥＧ−２スキーム及びＡＣ（音声圧縮）又は他の音声圧縮スキームを用いるＤＶＤ（デジタル多機能ディスク）が提案されている。ＤＶＤ規格は、ＤＶＤビデオ（すなわちＤＶＤ−ＲＯＭ（読み取り専用メモリ））、ライトワンスＤＶＤ−Ｒ（レコーダブル）、書換え可能ＤＶＤ−ＲＡＭ（ランダムアクセスメモリ）（又はＤＶＤ−ＲＷ、ＤＶＤ＋ＲＷ（リライタブル））を対象とする。
【０００４】
ＤＶＤ＋ＲＷ（リライタブル）フォーマットは、「タイトル」が記録される、編集される、及び消去されるのを可能にする。「タイトル」は、セルのシーケンスによって構成される、例えば映画などのユーザ再生可能プログラムを参照し、ここで、セルは、ユニットのシーケンス及び対応する制御情報を含む。加えて、ビデオコンテンツ保護システムは、「タイトル」が暗号化されるのを可能にする。ＤＶＤビデオは、通常、コンテンツスクランブリングシステム（ＣＳＳ）として知られるコンテンツ保護スキームを使用する。ＣＳＳ及び他のコンテンツ保護スキームは、暗号化、並びに暗号化されたＤＶＤディスクセクタ及び復号コンポーネント間の暗号法的鍵交換を使用する。ＤＶＤ＋ＲＷ暗号化に関するより最近の暗号化方法である、ビデオコンテンツ保護方法（ＶＣＰＳ）は、記録されたタイトルが暗号化されるのを可能にする。
【０００５】
ＤＶＤ＋ＲＷフォーマットでタイトルを暗号化する欠点は、ユーザが暗号化された「タイトル」を選択する場合、この「タイトル」は、再生可能でなく、再生機はディスク上の次のタイトルへスキップすることである。このことは、ユーザが空の「タイトル」を選択する場合にも発生する。このことは、選択されたタイトルではない異なる「タイトル」が再生されるという点においてユーザに対して混乱させている。
【０００６】
したがって、ＤＶＤ＋ＲＷフォーマットされたディスクにおいて選択されたタイトルがなぜ再生され得ないか、及び特定の期間の後に又はユーザ相互作用の後に次のタイトルが提示されること、を説明する視覚的及び／又は音声的な指示又は警告をユーザに提供することが所望で有り得る。
【発明の開示】
【発明が解決しようとする課題】
【０００７】
本発明は、ＤＶＤ＋ＲＷ（ＤＶＤ−Rewritable）光ディスクのより優れたユーザ相互作用及び理解のためにユーザに追加的情報を提供する方法及びナビゲーション構造に関する。
【課題を解決するための手段】
【０００８】
より具体的には、本発明に従う方法は、ＤＶＤ＋ＲＷディスクのメニューシステムと相互作用するユーザに、メニューシステムから空の又は暗号化されたタイトルをユーザが選択することに応答して、視覚的及び／又は音声的な指示又は警告を提供する。この指示又は警告は、ユーザに、選択されたタイトルがなぜ再生され得ないか、及び特定の期間の後に又はユーザ相互作用の後に次のタイトルが提示されること、を説明する。
【０００９】
本発明は、（１）選択されたタイトルがなぜ再生され得ないかをユーザへ説明するための情報タイトル及び警告をディスクのビデオタイトルセットメニュー（VTSM）へ追加することを除外するような制限、及び、（２）ビデオマネージャドメインにおけるタイトルへのＶＴＳドメインから直接のジャンプを禁止する制限、を含む、ＤＶＤ＋ＲＷフォーマットの特定の制限を克服する。ＤＶＤ＋ＲＷとは異なり、ビデオタイトルセットのメニューへの情報タイトル及び警告の追加は、ＤＶＤフォーマットにおいては許可されることを特記される。
【００１０】
発明者は、上述のＤＶＤビデオ及びＤＶＤ＋ＲＷビデオ仕様の制限を違反することなく、ユーザになぜタイトルが再生され得ないかを通知するための情報タイトル及び警告をＤＶＤ＋ＲＷディスクへ追加することが可能であることを認識していた。ＤＶＤビデオ及びＤＶＤ＋ＲＷビデオ仕様は、その全体を本文書において参照として組み込まれる。
【００１１】
１つの態様に従うと、ＤＶＤ＋ＲＷビデオ構造を分断させることなく、タイトルをＶＴＳドメインからＶＭＧドメインにおける情報スクリーンにリダイレクトするためのナビゲーション構造を含む光ディスクが提供される。特に、２つの前コマンドが、ＶＴＳ・ＰＧＣ（タイトル）コマンドテーブルに加えられ、３つのＰＧＣ前コマンドがＶＭＧＭエントリＰＧＣコマンドテーブルに加えられ、情報ページは、ＶＭＧＭ  ＶＯＢＳに加えられる。
【００１２】
好ましい実施例に従うと、ユーザがＤＶＤ＋ＲＷフォーマット済みディスクのディスクメニューから空の又は暗号化されたタイトルを選択する場合、ディスクのビデオタイトルセット（ＶＴＳ）における対応するプログラムチェーン（ＰＧＣ）が実行される。暗号化された（又は空の）タイトルの再生の開始の前に、ＶＴＳ・ＰＧＣコマンドテーブルにおける２つの追加的な前コマンドが実行される。このＶＴＳ・ＰＧＣコマンドテーブルにおける２つの追加的な前コマンドは、タイトルからの再生を防ぐように遠ざかるようにナビゲートし、代わりにＶＭＧドメインへコールする。ＶＭＧドメインにおいて、３つの追加的なコマンドは、ユーザに、選択されたタイトルがなぜ再生され得ないか（例えば、暗号化されている又は空であるから）、及び次のタイトルが特定の期間の後に又はユーザ相互作用の後に提示されること、を説明する情報的なページを表示する情報ページにナビゲートする。タイトルがディスクにおいて暗号化されていた場合、例えば、ユーザは、「ＶＣＰＳタイトル暗号化警告」などを示され得る。情報ページは、通常のボタン又は所定の期間の後に実行される自動実行ボタンのいずれかをも含む。ボタンは、ＶＴＳドメインにおける次のタイトルへリンクする次のタイトルＰＧＣへのジャンプを含み、そして次のタイトルが再生される。
【００１３】
本発明の上述の特徴は、添付の図面と組み合わせて考慮される、本発明の例示的な実施例の以下の詳細な説明から直ちに明らかであり、これらの実施例を参照して理解され得る。
【発明を実施するための最良の形態】
【００１４】
本発明の好ましい実施例は、図面を参照にして以下に説明される。以下の実施例は、本発明が、ＤＶＤ＋ＲＷ（ＤＶＤ−Rewritable）光ディスクのより優れたユーザ相互作用及び理解のためにユーザに追加的情報を提供する方法に適用される場合に関する。本発明は、選択されたタイトルがなぜ再生され得ないか、及び特定の期間の後に又はユーザ相互作用の後に次のタイトルが提示されること、を説明する情報的なページでタイトルを置換する必要があるいずれの場合に、いかなる民生電子機器ＤＶＤ＋ＲＷレコーダ、民生電子機器ハードディスクレコーダ、及びＰＣ／ＭＡＣのＤＶＤ＋ＲＷオーサリングアプリケーションに適用可能である。
【００１５】
図１は、ＤＶＤビデオ光ディスクにおけるボリューム空間を示す。図１に示されるように、ボリューム空間は、ボリューム及び構成区域、ＤＶＤビデオ区域、並びに他の区域からなる。ボリューム及びファイル構成領域において、制御データが、構成フォーマット（例えば、ＵＤＦ（UDF  Universal  Disk  Format  Specification）Revision1.02など）に従い記録され、このデータは、所定の規格を満たすいずれかの計算機又は民生電子機器によって読まれ得る。ＤＶＤビデオ領域は、ビデオマネージャ（ＶＭＧ）及び１つ以上のビデオタイトルセット（ＶＴＳ）を有する。ビデオマネージャ（ＶＭＧ）及びビデオタイトルセット（ＶＴＳ）は、それぞれ、複数のファイルからなる。ビデオマネージャ（ＶＭＧ）は、ビデオタイトルセット（ＶＴＳ）を制御するための情報である。ビデオタイトルセット（ＶＴＳ）は、完全なビデオコンテンツ又は「タイトル」を記述するユニットである。
【００１６】
図２は、ビデオマネージャ（ＶＭＧ）及びビデオタイトルセット（ＶＴＳ）の構造をより詳細に示す。ビデオマネージャ（ＶＭＧ）は、制御データとしてビデオマネージャ情報（ＶＭＧＩ）、及びメニュー表示に関するデータとしてビデオオブジェクトセット（ＶＭＧＭ＿ＶＯＢＳ）を有する。ビデオオブジェクトセット（ＶＯＢＳ）は、一群のビデオオブジェクト（ＶＯＢ）である。ＶＯＢは、ビデオ、音声、サブ画像、プログラム制御情報（ＰＣＩ）及びデータ検索情報（ＤＳＩ）などの一群のエレメンタリーストリームからなるＭＰＥＧプログラムストリームである。コンテンツにおいてＶＭＧＩと同一であるバックアップビデオマネージャ情報（ＶＭＧＩ＿ＢＵＰ）も含まれる。
【００１７】
ビデオタイトルセット（ＶＴＳ）は、制御データとしてビデオタイトルセット情報（ＶＴＳＩ）、任意追加的にメニュー表示に関するデータとしてビデオタイトルセット（ＶＴＳＭ＿ＶＴＳ）、及びビデオ表示に関するビデオオブジェクトセットであるビデオタイトルセットのタイトルに関するビデオタイトルセット（ＶＴＳＴＴ＿ＶＯＢＳ）をふくむ。また、コンテンツにおいてＶＴＳＩと同一であるバックアップビデオタイトルセット情報（ＶＴＳＩ＿ＢＵＰ）も含まれる。ビデオ表示に関するビデオオブジェクトセット（ＶＴＳＴＴ＿ＶＯＢＳ）は、複数のセルによって構成される。各セルは、セル識別番号を割り当てられる。
【００１８】
図３は、ＤＶＤ＋ＲＷ（ＤＶＤ−Rewritable）光ディスクのより優れたユーザ相互作用及び理解のためにユーザに追加的情報を提供するために１つの実施例に従う方法を例示する、ＤＶＤ＋ＲＷビデオディスクの例示的なブロック図である。
【００１９】
図３を参照すると、当該例において、ＤＶＤ＋ＲＷディスクは、「タイトル１」１０、「タイトル２」１２、「タイトル３」１４、「タイトル４」１６、及び「タイトル５」１８、の５つのタイトルを記憶するように仮定される。５つのタイトル１０−１８は、ビデオタイトルセット（ＶＴＳ）ドメイン（３０）に位置される。ＤＶＤ＋ＲＷディスクは、複数のページすなわち「メニューページ１」４４、「メニューページ２」４６、「メニューページ３」４８、及び「メニューページ４」５０を構成されるディスクメニューを含み、この場合、第１ページ「メニューページ１」４２はディスク情報を含む。「メニューページ２」４６及び「メニューページ３」４８はそれぞれ、３つのタイトルまでに関するリンクを含む。すなわち、「メニューページ２」４６は、タイトル１−３に関するリンクを含み、「メニューページ３」４８はタイトル４−６に関するリンクを含む。ここで、図４は、ＤＶＤ＋ＲＷフォーマットディスクと相互作用する場合にユーザに示されるように利用可能であるメニューページ１−４（４４、４６、４８及び５０）の通常のセットの例示的な図である。示されるように、メニューページ１（４４）は、一般的なディスク例示例を含むディスク情報ページであり、ディスクは全部で５つのタイトルを含む。４つ目のメニューページ「メニューページ４」５０は、以下に更に説明されるように、メニューシステム（例えば、タイトル３（１４））から空の又は暗号化されたタイトルをユーザが選択することに応答して、ユーザに視覚的及び／又は音声的に通知するための情報ページ（図５参照）である。
【００２０】
図４は、ＤＶＤ＋ＲＷフォーマットディスクと相互作用する場合にユーザに示されるように利用可能であるメニューページの通常のセットの例示的な図である。示されるように、メニューページ１（４４）は、例えば、ディスク名、日付、ディスクバージョン番号、ディスク保護プロトコルなどを含む、一般的なディスク例示例を含むディスク情報ページである。メニューページ２（４６）は、ディスクにおけるタイトル１−３、すなわち「航空ショー」、「都市の景観」及び「コルベット」へのリンクを含む。メニューページ３（４８）は、ディスクにおけるタイトル４−５、すなわち「自然」及び「自由空間」へのリンクを含み、必要であれば第３のタイトルを示すことが可能である。メニューページ４（５０）は、選択されたタイトルがなぜ再生され得ないか、及びディスクにおける次のタイトルが代わりに表示されること、を説明する情報的なページを提供するために、ユーザへ表示されるべき情報的なページ５０である。情報的なページ５０は、以下に更に詳細に説明される。
【００２１】
例として、関連するリンクがメニューページ２（４６）にある、ディスクにおける第３のタイトル「コルベット」１４は、暗号化されたタイトルであるように任意に選択される。ディスクにおけるほかのタイトル、すなわちタイトル｛１、２、４、及び５｝１０、１２、１６及び１８は、暗号化されていないと仮定され、したがって、ユーザによって選択される場合に難なく再生されるように利用可能である。
【００２２】
図３におけるタイトル３「コルベット」１４などの暗号化されたタイトルは、上述のように、暗号化されたタイトルはＤＶＤ＋ＲＷフォーマットディスクにおいて再生可能でなく、何が発生したかをユーザに警告を提供することなくディスクにおける次のタイトルにスキップするように再生機にさせるので、ユーザに困難を呈示する。このことは、選択されたタイトルではない異なる「タイトル」が再生されているという点においてユーザに対して混乱させている。本発明は、選択されたタイトルがなぜ再生され得ないか、及び特定の期間の後に又はユーザ相互作用の後に次のタイトルが提示されること、を説明する追加的な情報（例えば、視覚的及び／又は音声的な警告）をユーザに提供することによって、このような問題を解決している。本発明の原理に従う方法及びナビゲーション構造は、以下のように説明される。
【００２３】
再び図３を参照すると、動作において、ユーザは、ディスクメニュー４４−５０からタイトルボタン１を有効化することによって、又はリモートコントロール２を介してタイトルを手動で選択することによって、「メニューページ２」４６及び「メニューページ３」４８に集合的に表示される５つのタイトル１０−１８のいずれかを選択する選択肢を有する。
【００２４】
ユーザがタイトル１０-１８を選択する場合、ビデオタイトルセット（ＶＴＳ）ドメイン３０における選択されたタイトルのプログラムチェーン（ＰＧＣ）内の対応する標準前コマンド(pre-command)２０及び後コマンド(post-command)２２が実行される。
【００２５】
ユーザが暗号化された（又は空の）タイトル（例えば、タイトル３（１４）を選択する場合はいつも、タイトルの対応するＶＴＳプログラムチェーン（ＰＧＣ）は、再生を防ぐために、暗号化された（又は空の）タイトルから遠ざかるようにナビゲートする３６ように動作する２つの追加的な前コマンド２４を含む。２つの追加的な前コマンドは、代わりに、ビデオマネージャ（ＶＭＧ）ドメイン４０にコールする。
【００２６】
暗号化された又は空のタイトルがユーザによって選択される場合におけるＶＴＳドメイン３０から離れてＶＭＧドメイン４０へナビゲートするステップは、ＤＶＤ＋ＲＷビデオフォーマットに内在する制限を克服するために必要である。具体的には、ＤＶＤ＋ＲＷフォーマットは、ＤＶＤ＋ＲＷビデオフォーマットにおいて参照されないＶＴＳドメイン３０へのタイトルの追加を許可しない。参照されるタイトルは、ＤＶＤ＋ＲＷディスクに記憶されていたタイトルである。本発明の情報的なページ５０は、参照されるタイトルとして考慮されないが、それは、この情報ページ５０が、ＤＶＤ＋ＲＷディスクに記録されていなかったが、当該例においてメニューページすなわち「メニューページ４」４８に追加的な情報（例えば、情報的なページ５０）として加えられるだけであるからである。言い換えると、情報的なページ５０は、非記録データ、すなわち情報的な目的のみに関して加えられたデータであると考慮される。この制限を克服するために、本発明者は、情報ページ５０が、ＤＶＤ＋ＲＷフォーマットを違反しない方法でユーザへ表示され得ることを認識していた。具体的には、ＶＭＧドメイン４０において情報ページ５０を配置し、ユーザが暗号化された（又は空の）タイトルを選択する場合はいつでもＶＴＳドメイン３０から前記ページへナビゲートすることによって、ユーザは、ＤＶＤ＋ＲＷフォーマットを違反することなく情報的なページ５０を示され得る。
【００２７】
ＤＶＤ＋ＲＷフォーマットの制限は、上述されるように、情報的なタイトルを表示するためにビデオタイトルセット（ＶＴＳ）においてＶＴＳＭ  ＶＯＢＳに関する規定が存在しないことの結果である。しかし、この制限は、ＤＶＤ＋ＲＷフォーマットに固有であることを理解されるべきである。すなわち、通常のＤＶＤのビデオタイトルセット（ＶＴＳ）内に標準メニューページとしてＶＴＳＭ  ＶＯＢＳを含むことを許可している標準ＤＶＤビデオフォーマットにおいて、このような制限は存在しない。通常のＤＶＤビデオディスクの場合、情報的タイトルは、本実施例において教示されるように、情報的タイトルを表示するためにＶＭＧドメインへと離れるようにナビゲートする必要性を除外する、ＶＴＳＭ  ＶＯＢＳにおいて含まれ得る。
【００２８】
上述されるように、ユーザが暗号化された又は空のタイトル（例えば、タイトル３（１４））を選択する場合はいつでも、タイトルの対応するＶＴＳプログラムチェーン（ＰＧＣ）は、再生を防ぐように暗号化された（又は空の）タイトルから遠ざかるようにナビゲートする３６に作用する２つの追加的な前コマンド２４を含み、代わりにビデオマネージャ（ＶＭＧ）ドメイン４０へコールする。追加的な前コマンド２４は、ＶＴＳプログラムチェーン（ＰＧＣ）において提供される場合にのみ置換され得ることを特記される。そうでない場合、タイトルの処理ステップは、よく知られるように通常の方法で行われる。
【００２９】
ある実施例において、ＶＴＳドメイン３０から遠ざかりＶＭＧドメイン４０へとナビゲートするために使用される２つの追加的な前コマンド２４は：
第１の追加的ＶＴＳ・ＰＧＣ前コマンド−  ＧＰＲＭ６＝１
第２の追加的ＶＴＳ・ＰＧＣ前コマンド−  CallSS  VMGM  PGC#1
として示される。
【００３０】
第１の追加的ＶＴＳ・ＰＧＣ前コマンド、｛ＰＧＰＲＭ６＝１｝２４は、いずれかのパラメータで有り得る一般的なパラメータを設定し、これにより、ＶＭＧエントリＰＧＣ、すなわちＰＧＣ＃１（３８）、に含まれる前コマンドへ、ディスクの別の部分（すなわち、ＶＭＧドメイン４０）へのリンクが必要とされること示す。
【００３１】
第２の追加的ＶＴＳ・ＰＧＣ前コマンド、｛CallSS  VMGM  PGC#1｝２４は、ＶＭＧドメイン（４０）のエントリプログラムチェーン（エントリＰＧＣ）へジャンプすることがその目的である、実際のＤＶＤビデオコマンドである。
【００３２】
ＶＴＳドメイン３０における２つの追加的なＶＴＳ・ＰＧＣ前コマンド２４を実行すると、制御は、ＶＭＧドメイン４０に転送され、この場合、ＶＭＧドメインエントリPGC#1（３７）における３つの追加的な前コマンドが、選択されたタイトル（例えば、タイトル３、暗号化されたタイトル）がなぜ再生され得ないかをユーザに説明する視覚的及び／又は音声的な指示又は警告を表示する情報ページ５０へナビゲートし、そして特定の期間の後に又はユーザ相互作用の後に次のタイトル、例えば、「タイトル４」１６が提示されることのユーザへの更なる指示を提供する。
【００３３】
視覚的及び／又は音声的な指示又は警告を表示する情報ページ５０へナビゲートするための、ＶＭＧＭエントリＰＧＣ、すなわちＰＧＣ＃１における３つの追加的な前コマンド３８の処理は、ここで、以下のように、より詳細に説明される。
【００３４】
ＰＧＣ＃１（３７）における第１の追加的ＶＭＧ・ＰＧＣ前コマンド３８ａは、コピーコマンド：
第１の追加的ＶＭＧ・ＰＧＣ前コマンド−  Copy  GPRM6  to  GPRM7
である。
【００３５】
ＰＧＣ＃１（３７）におけるこの第１の追加的なＶＭＧ・ＰＧＣ前コマンド３８ａは、一般的なパラメータＧＰＲＭ６を一時的なパラメータＧＰＲＭ７に複製する。一般的なパラメータＧＰＲＭ６を一時的なパラメータＧＰＲＭ７に複製することは必要であるその理由は、暗号化された又は空のページへアクセスが試みられた後に一般的なパラメータＧＰＲＭ６が１に設定されたままに有った場合、その後、ユーザがいずれかのページの更なる選択を行うと、正常でない警告ページ５０が常に表示されるからである。
【００３６】
ＰＧＣ＃１における第２の追加的なＶＭＧ・ＰＧＣ前コマンド３８ｂは、一般的なパラメータＧＰＲＭ６をクリアにする設定コマンド：
第２の追加的なＶＭＧ・ＰＧＣ前コマンド−  Set  GPRM6=0
である。
【００３７】
第３の追加的なＶＭＧ・ＰＧＣ前コマンド３８ｃは：
第３の追加的なＶＭＧ・ＰＧＣ前コマンド−  If  GPRM7  =  GPRM6  then  LinkPGN4
である。
【００３８】
この第３のＶＭＧ・ＰＧＣ前コマンド３８ｃは、処理を、ユーザが暗号化された又は空のページを選択したイベント（すなわち、ＧＰＲＭ７＝１の場合）における情報ページ５０を表示するステップへ方向付ける。そうでない場合、処理は、ＰＧＣ＃１における標準前コマンド７０を処理するステップへ方向付けられる。標準前コマンドを処理するステップは、よく知られ、したがって、更には議論されない。ユーザが暗号化された（又は空の）ファイルを選択する場合、「ＹＥＳ」の枝（図３のナビゲーション構造を参照）が選択され、再生機は、ＶＭＧドメイン４０のＶＭＧＭ・ＶＯＢＳ５７内の情報ページ５０にリンクする。情報ページ５０は、情報的な警告を含み、特定の実施例において、ＤＶＤビデオ／音声も含み得る。
【００３９】
図５は、ディスクメニュー４４−５０の「メニューページ４」４８に存在する情報的なページ５０の例示的な図である。情報ページ５０を記憶するためにいかなる自由なメニューページも使用され得ることを特記される。またユーザに表示される警告は異なるアプリケーションにおいて異なり得ることも特記される。例えば、特定の通常の警告は、ディスクにおける暗号化タイトルに関して「このタイトルは暗号化されています」、ディスクにおいて削除されたタイトルに関して「このタイトルは削除されています」、及び「このタイトルは、何のセルも含みません。完全なタイトルを選択してください」などが挙げられ得る。この警告メッセージは、ユーザがプレイリスト（ＰＧＣ）から全てのセルを除去した場合に使用され得、又はハードディスクに複製されないタイトルに関して「このタイトルはハードディスクにコピーされません」が使用され得る。この警告メッセージは、ＤＶＤ＋ＲＷディスクがハードディスクレコーダのハードディスクへ複製される場合に使用され得る。コンテンツがユーザの視点から興味深くないので、追加的な空間を節約するために、全てのタイトルが複製されないことは有り得る。
【００４０】
この警告に加えて、情報ページ５０は、好ましくは、通常のボタン、又は所定の期間の後に実行される、示されるような自動実行ボタンのいずれかを更に含む。ボタン５５は、再生されるべきＶＴＳドメインにおける次のタイトルへリンクする次のタイトルＰＧＣ６０（図３を参照）へジャンプするように構成される。当該例において、再生されるべきＶＴＳドメインにおける次のタイトルは、タイトル４（１６）である。
【００４１】
結論
結論として、本発明が、ＤＶＤ＋ＲＷ（ＤＶＤ−Rewritable）光ディスクのより優れたユーザ相互作用及び理解のためにユーザに追加的情報を提供することが示される。具体的には、ＤＶＤ＋ＲＷフォーマットディスクにおいて選択されたタイトルがなぜ再生され得ないか、及び特定の期間の後に又はユーザ相互作用の後に次のタイトルが提示されること、を説明する視覚的及び／又は音声的な指示又は警告をユーザに提供する方法及びナビゲーション構造が開示される。
【００４２】
本発明は、好ましい実施例及び変更態様の形式で開示されているが、添付の請求項において規定される本発明の範囲から逸脱することなく、多数の変更態様及び修正態様がなされ得ることを理解され得る。本発明の保護の範囲は、添付の請求項において示されるが、等価の意味及び範囲内に含まれる全ての変更は、当該保護の範囲に含まれることを意図される。明細書及び図面は、例示的な方法で適宜考慮されるべきであり、請求項の範囲を制限するように意図されていない。
【００４３】
添付の請求項を解釈する点において、
ａ）「有する」という動詞及びその活用形の使用は、請求項に記載される以外の異なる他の要素又はステップの存在を排除しない、
ｂ）単数形の構成要素は、複数個の斯様な構成要素の存在を排除しない、
ｃ）請求項における如何なる参照符号も請求項を制限しない、
ｄ）いくつかの「手段」は、同一の項目又はハードウェア若しくはソフトウェア実装構造若しくは機能によって表され得る、
ｅ）開示される要素のいずれかは、ハードウェア部分（例えば、個別又は集積電子回路を含む）、ソフトウェア部分（例えば、計算機プログラム）、及びこれらのいずれかの組合せから構成され得る、
ｆ）ハードウェア部分は、アナログ及びデジタル部分のうちの１つ又は両方からなり得る、
ｇ）開示される装置又はその部分のいずれかは、具体的に記載される以外は、一緒に組み合わせられ得る、又は更なる部分へ分離され得る、
ｈ）何の特定のステップのシーケンスも、具体的に示される以外は必要とされるように意図されない、
ことを理解されるべきである。
【図面の簡単な説明】
【００４４】
【図１】図１は、ＤＶＤビデオ光ディスクにおけるボリューム空間を示す。
【図２】図２は、図１のボリューム空間のビデオマネージャ（ＶＭＧ）及びビデオタイトルセット（ＶＴＳ）の構造をより詳細に示す。
【図３】図３は、本発明に従う１つの実施例を例示するＤＶＤ＋ＲＷビデオディスクの例示的なブロック図である。
【図４】図４は、ＤＶＤ＋ＲＷフォーマットディスクと相互作用する場合にユーザに示されるように利用可能であるメニューページの通常のセットの例示的な図である。
【図５】図５は、ディスクメニューの「メニューページ」に存在する情報的なページの例示的な図である。
【図１】
2009503762.tif 000003
【図２】
2009503762.tif 000004
【図３】
2009503762.tif 000005
【図４】
2009503762.tif 000006
【図５】
2009503762.tif 000007
【国際調査報告】
2009503762.tif 000008
2009503762.tif 000009
2009503762.tif 000010